(57)【特許請求の範囲】
【請求項１】
版胴に設けられて版を固定するクランプ機構を内装するギャップと、
前記版胴に前記版を装着するときに当該版を当該版胴側へ押圧しながら当該版胴に巻き付ける回転体と
を備えた版交換装置において、
前記版胴に前記版を装着するときに、前記回転体が前記版胴に押圧されて、当該版の版曲げ部が当該回転体に当接されると共に当該版の版曲げ部の先端が当該版胴の周面に当接され、当該版胴及び当該回転体が回転することにより、当該版の版曲げ部の先端が当該版胴の周面に押し付けられて、当該版胴の前記ギャップが当該版の版曲げ部の先端に対向したときに当該回転体の回転力により当該版の版曲げ部の先端が当該版胴の当該ギャップに挿入されるようにした
ことを特徴とする版交換装置。
【発明の詳細な説明】
【０００１】
【発明の属する技術分野】
本発明は、印刷機の版胴の版を交換する版交換装置に関する。
【０００２】
【従来の技術】
印刷機の版胴の版を交換する従来の版交換装置としては、例えば、特開平７−２９０６８８号公報に記載されたものがある。この版交換装置は、図３に示すように、案内具３１で搬送されてきた版１３０のくわえ端１３０ａを保持具３２で一旦保持し、吸引保持装置３３で版１３０のくわえ端１３０ａ側を吸引保持した後（図３（ａ））、上記保持具３２を退避させて上記吸引保持装置３３で版１３０のくわえ端１３０ａを版胴１３１の外周面に押し付けると共に当該版胴１３１を回転させて版１３０のくわえ端１３０ａを版胴１３１のギャップ１３１ａに嵌め込み（図３（ｂ））、ギャップ１３１ａ内に設けられた図示しないクランプ機構により版１３０のくわえ端１３０ａを固定した後、版胴１３１をさらに回転させて版１３０を版胴１３１の外周面に押圧ローラ３４で押さえ付けながら巻き付けていき（図３（ｃ））、版１３０のくわえ尻１３０ｂを版胴１３１のギャップ１３１ａに嵌め込むことにより、ギャップ１３１ａ内に設けられた図示しないクランプ機構で版１３０を版胴１３１に取り付けるようにしている。なお、図３中、１３２はゴム胴である。
【０００３】
【発明が解決しようとする課題】
前述したような従来の版交換装置においては、保持具３２や吸引保持装置３３など多数の部材を用いるため、装置構成が複雑となってしまい、版胴１３１の周辺の煩雑化を招いてしまうだけでなく、コストが高くなってしまう。
【０００４】
このようなことから、本発明は、簡単な構成で版胴に版を取り付けることができる版交換装置を提供することを目的とした。
【０００５】
【課題を解決するための手段】
前述した課題を解決するための、本発明による版交換装置は、版胴に設けられて版を固定するクランプ機構を内装するギャップと、前記版胴に前記版を装着するときに当該版を当該版胴側へ押圧しながら当該版胴に巻き付ける回転体とを備えた版交換装置において、前記版胴に前記版を装着するときに、前記回転体が前記版胴に押圧されて、当該版の版曲げ部が当該回転体に当接されると共に当該版の版曲げ部の先端が当該版胴の周面に当接され、当該版胴及び当該回転体が回転することにより、当該版の版曲げ部の先端が当該版胴の周面に押し付けられて、当該版胴の前記ギャップが当該版の版曲げ部の先端に対向したときに当該回転体の回転力により当該版の版曲げ部の先端が当該版胴の当該ギャップに挿入されるようにしたことを特徴とする。
【０００６】
【発明の実施の形態】
本発明による版交換装置を両面印刷機に適用した場合の実施の形態を図１を用いて説明する。なお、図１は、その要部部材の概略構成図である。
【０００７】
図１に示すように、版１１０を取り付けられる版胴１１１には、ゴム胴１１２が対接している。ゴム胴１１２には、ゴム胴１２２が対接している。ゴム胴１２２には、版１２０を取り付けられる版胴１２１が対接している。
【０００８】
つまり、版胴１１１，１２１の版１１０，１２０に図示しないインキ供給装置からインキをそれぞれ供給すると、版１１０，１２０の絵柄に対応したインキがゴム胴１１２，１２２にそれぞれ転写され、ゴム胴１１２，１２２間にウエブ等を送給することにより、当該ウエブ等の両面に絵柄を印刷することができるようになっているのである。
【０００９】
前記版胴１１１，１２１には、版１１０，１２０の版曲げ部であるくわえ端１１０ａ，１２０ａおよびくわえ尻１１０ｂ，１２０ｂを保持する図示しないクランプ機構を内装したギャップ１１１ａ，１２１ａがそれぞれ設けられている。これら版胴１１１，１２１の近傍には、版１１０，１２０を当該版胴１１１，１２１に案内する版案内手段であるガイドプレート１１，２１がそれぞれ設けられている。
【００１０】
さらに、版胴１１１，１２１の近傍には、レバー１２，２２がそれぞれ配設されており、当該レバー１２，２２は、前記ガイドプレート１１，２１に案内されてきた版１１０，１２０のくわえ端１１０ａ，１２０ａと版胴１１１，１２１との当接部分に当該レバー１２，２２の先端を位置させるように当該レバー１２，２２の支点を中心に揺動可能にそれぞれ支持されている。これらレバー１２，２２の先端には、回転体である押圧ローラ１４，２４が回転自在にそれぞれ設けられている。これらレバー１２，２２の基端には、図示しないフレームに支持されたエアシリンダ１３，２３のロッド１３ａ，２３ａの先端が進退可能にそれぞれ連結されている。
【００１１】
つまり、エアシリンダ１３，２３のロッド１３ａ，２３ａを収縮すると、ガイドプレート１１，２１で案内されてきた版１１０，１２０のくわえ端１１０ａ，１２０ａと版胴１１１，１２１との当接部分に前記押圧ローラ１４，２４を押し付けるように前記レバー１２，２２を揺動させることができ、エアシリンダ１３，２３のロッド１３ａ，２３ａを伸長すると、上記押圧ローラ１４，２４を版胴１１１，１２１から離反させて退避させるように上記レバー１２，２２を揺動させることができるようになっているのである。
【００１２】
なお、本実施の形態では、レバー１２，２２、エアシリンダ１３，２３などにより、回転体移動手段を構成している。
【００１３】
このように構成された版交換装置による版胴１１１への版１１０の取り付けを図２を用いて説明する。なお、図２は、その作用説明図である。また、版胴１２１への版１２０の取り付けは、版胴１１１への版１１０の取り付けと同様にして行われるので、その説明を省略する。
【００１４】
エアシリンダ１３のロッド１３ａを収縮してレバー１２を揺動させて、押圧ローラ１４を版胴１１１に押圧した後、ガイドプレート１１に沿って版１１０を案内して当該版１１０のくわえ端１１０ａの先端１１０ａ’を版胴１１１の外周面に当接させると共に、当該版１１０のくわえ端１１０ａを押圧ローラ１４に当接させる（図２（ａ）参照）。
【００１５】
この状態で版胴１１１を回転させて押圧ローラ１４を回転させると、版１１０のくわえ端１１０の先端１１０ａ’が押圧ローラ１４により版胴１１１の外周面に押し付けられ、この後に当該版胴１１１のギャップ１１１ａが位置すると（図２（ｂ）参照）、当該押圧ローラ１４の回転力により、版１１０のくわえ端１１０ａの先端１１０ａ’が当該ギャップ１１１ａと対向することによりくわえ端１１０ａがギャップ１１１ａに嵌り込む（図２（ｃ）参照）。
【００１６】
この状態で版胴１１１をさらに回転させると、版１１０が押圧ローラ１４で版胴１１１の外周面に押え付けられながら巻き付けられ（図２（ｄ）参照）、版胴１１１をさらに回転させることにより、版１１０のくわえ尻１１０ｂが版胴１１１のギャップ１１１ａに嵌め込まれて、ギャップ１１１ａ内に設けられた図示しないクランプ機構により当該版１１０が版胴１１１に取り付けられる。
【００１７】
つまり、版胴１１１に版１１０を巻き付けるために必要な押圧ローラ１４により、版１１０のくわえ端１１０ａの先端１１０ａ’を版胴１１１に装着できるようにしたのである。
【００１８】
このため、版１１０を保持して版胴１１１に押さえ付ける保持具や吸引保持装置等のような部材を省略することができる。
【００１９】
したがって、このような版交換装置によれば、簡単な装置構成で版胴１１１，１２１に版１１０，１２０を取り付けることができる。
【００２０】
なお、本実施の形態では、押圧ローラ１４，２４を回転自在に支持することにより、版胴１１１，１２１の回転に対して連れ回りできるようにしたが、版胴１１１，１２１の回転速度と同速度で同期回転できるように押圧ローラ１４，２４に駆動手段を連結することも可能である。
【００２１】
【発明の効果】
本発明による版交換装置によれば、版胴に版を巻き付けるために必要な回転体で版のくわえ端の先端を版胴に装着することができるので、版を保持して版胴に押さえ付ける保持具や吸引保持装置等のような部材を省略することができ、簡単な装置構成で版胴に版を取り付けることができる。
【図面の簡単な説明】
【図１】本発明による版交換装置を両面印刷機に適用した場合の実施の形態の要部部材の概略構成図である。
【図２】作用説明図である。
【図３】従来の版交換装置の一例の説明図である。
【符号の説明】
１１，２１  ガイドプレート
１２，２２  レバー
１３，２３  エアシリンダ
１３ａ，２３ａ  ロッド
１４，２４  押圧ローラ
１１０  １２０  版
１１０ａ，１２０ａ  くわえ端
１１０ａ’，１２０ａ’  先端
１１０ｂ，１２０ｂ  くわえ尻
１１１，１２１  版胴
１１１ａ，１２１ａ  ギャップ
１１２，１２２  ゴム胴
【図１】
0003933801.tif 000002
【図２】
0003933801.tif 000003
【図３】
0003933801.tif 000004